(57)【要約】  プラズマディスプレイパネルの駆動方法及びプラズマディスプレイ装置において、表示映像（表示データ）の内容に応じて、従来よりもアドレス電力制御を効率的に行ってアドレス電力を削減することを課題とする。  アドレス電力回収回路として、表示領域（Ｒ）及びアドレス電極群を水平方向で複数（ｎ）に分割する領域（Ｈ１〜Ｈｎ）に対応して、複数（ｎ）のアドレス電力回収回路（Ｂ１〜Ｂｎ）を備え、各アドレス電力回収回路（Ｂ）が担当する領域（Ｈ）毎かつサブフィールド毎に、当該領域（Ｈ）に対するアドレスパルススイッチング負荷（Ｑ）を判定し、当該負荷（Ｑ）の大小に応じて当該アドレス電力回収回路（Ｂ）動作をＯＮ／ＯＦＦ制御する。
2009004685.tif 000002
【特許請求の範囲】
【請求項１】
サブフィールド法及びアドレス表示分離方式を用いて、第１方向の維持電極及び走査電極並びに第２方向のアドレス電極を含むプラズマディスプレイパネルの表示領域に表示を行うプラズマディスプレイパネルの駆動方法であって、
前記パネルの表示領域及びアドレス電極群及び表示列群は、前記第１方向で複数の領域（Ｈ）に分割され、
前記パネルのアドレス電極群に接続され電力を回収するアドレス電力回収回路として、前記領域（Ｈ）毎に対応付けて設けられる複数のアドレス電力回収回路ブロックを用い、
サブフィールド毎、かつ、前記アドレス電力回収回路ブロックが担当する領域（Ｈ）毎に、当該領域（Ｈ）のアドレス電極群に印加されるアドレスパルスのスイッチング負荷に応じて、当該領域（Ｈ）に対応するアドレス電力回収回路ブロックの動作をＯＮ／ＯＦＦすること、を特徴とするプラズマディスプレイパネルの駆動方法。
【請求項２】
サブフィールド法及びアドレス表示分離方式を用いて、第１方向の維持電極及び走査電極並びに第２方向のアドレス電極を含むプラズマディスプレイパネルの表示領域に表示を行うプラズマディスプレイパネルの駆動方法であって、
前記パネルの表示領域及び表示ライン群は、前記第２方向で複数の領域（Ｖ）に分割され、
前記パネルのアドレス電極群に接続され電力を回収するアドレス電力回収回路を用い、
サブフィールド毎、かつ、前記領域（Ｖ）毎に、当該領域（Ｖ）のアドレス電極群に印加されるアドレスパルスのスイッチング負荷に応じて、当該領域（Ｖ）に対応するアドレス電力回収回路の動作をＯＮ／ＯＦＦすること、を特徴とするプラズマディスプレイパネルの駆動方法。
【請求項３】
請求項１記載のプラズマディスプレイパネルの駆動方法において、
前記パネルの表示領域及び表示ライン群は、前記第２方向で複数の領域（Ｖ）に分割され、
サブフィールド毎、かつ、前記第１方向の領域（Ｈ）と前記第２方向の領域（Ｖ）による分割の領域（Ｈ−Ｖ）毎に、当該領域（Ｈ−Ｖ）の前記負荷に応じて、当該領域（Ｈ−Ｖ）に対応するアドレス電力回収回路の動作をＯＮ／ＯＦＦすること、を特徴とするプラズマディスプレイパネルの駆動方法。
【請求項４】
請求項１記載のプラズマディスプレイパネルの駆動方法において、
前記サブフィールド毎、かつ、前記アドレス電力回収回路ブロックが担当する領域（Ｈ）毎に、表示データをもとに、当該領域（Ｈ）のアドレス電極群に印加されるアドレスパルスのスイッチング負荷を算出し、当該領域（Ｈ）の負荷が閾値以上である場合に当該領域（Ｈ）に対応するアドレス電力回収回路ブロックの動作をＯＮし、前記閾値未満である場合に当該動作をＯＦＦすること、を特徴とするプラズマディスプレイパネルの駆動方法。
【請求項５】
サブフィールド法及びアドレス表示分離方式を用いて表示を行うプラズマディスプレイ装置であって、
第１方向の維持電極及び走査電極、並びに第２方向のアドレス電極を含み、これら電極群により表示セル行列及び表示ライン群及び表示列群による表示領域が構成されるプラズマディスプレイパネルと、
前記パネルに対する駆動制御を行う回路部と、を備え、
前記パネルの表示領域及びアドレス電極群及び表示列群は、前記第１方向で複数の領域（Ｈ）に分割され、
前記回路部は、前記パネルのアドレス電極群に対して接続される、アドレス駆動回路及びアドレス電力回収回路を有し、
前記アドレス駆動回路は、表示データに応じて前記サブフィールドのアドレス期間に前記アドレス電極群へアドレスパルスを印加し、
前記アドレス電力回収回路は、コイルとＬＣ共振制御のスイッチとを含み、前記コイルのインダクタンスと前記パネルの容量とのＬＣ共振動作により、前記アドレス電極群から電力を回収し、
前記アドレス電力回収回路として、前記領域（Ｈ）毎に対応付けられる複数のアドレス電力回収回路ブロックを備え、
前記回路部は、サブフィールド毎、かつ、前記アドレス電力回収回路ブロックが担当する領域（Ｈ）毎に、当該領域（Ｈ）のアドレス電極群に印加されるアドレスパルスのスイッチング負荷に応じて、当該領域（Ｈ）に対応するアドレス電力回収回路ブロックの動作をＯＮ／ＯＦＦすること、を特徴とするプラズマディスプレイ装置。
【請求項６】
サブフィールド法及びアドレス表示分離方式を用いて表示を行うプラズマディスプレイ装置であって、
第１方向の維持電極及び走査電極、並びに第２方向のアドレス電極を含み、これら電極群により表示セル行列及び表示ライン群及び表示列群による表示領域が構成されるプラズマディスプレイパネルと、
前記パネルに対する駆動制御を行う回路部と、を備え、
前記パネルの表示領域及び表示ライン群は、前記第２方向で複数の領域（Ｖ）に分割され、
前記回路部は、前記パネルのアドレス電極群に対して接続される、アドレス駆動回路及びアドレス電力回収回路を有し、
前記アドレス駆動回路は、表示データに応じて前記サブフィールドのアドレス期間に前記アドレス電極群へアドレスパルスを印加し、
前記アドレス電力回収回路は、コイルとＬＣ共振制御のスイッチとを含み、前記コイルのインダクタンスと前記パネルの容量とのＬＣ共振動作により、前記アドレス電極群から電力を回収し、
前記回路部は、サブフィールド毎、かつ、前記領域（Ｖ）毎に、当該領域（Ｖ）のアドレス電極群に印加されるアドレスパルスのスイッチング負荷に応じて、当該領域（Ｖ）に対応するアドレス電力回収回路の動作をＯＮ／ＯＦＦすること、を特徴とするプラズマディスプレイ装置。
【請求項７】
請求項５記載のプラズマディスプレイ装置において、
前記パネルの表示領域及び表示ライン群は、前記第２方向で複数の領域（Ｖ）に分割され、
前記回路部は、サブフィールド毎、かつ、前記第１方向の領域（Ｈ）と前記第２方向の領域（Ｖ）による分割の領域（Ｈ−Ｖ）毎に、当該領域（Ｈ−Ｖ）の前記負荷に応じて、当該領域（Ｈ−Ｖ）に対応するアドレス電力回収回路の動作をＯＮ／ＯＦＦすること、を特徴とするプラズマディスプレイ装置。
【請求項８】
請求項５記載のプラズマディスプレイ装置において、
前記回路部は、サブフィールド毎、かつ、前記アドレス電力回収回路ブロックが担当する領域（Ｈ）毎に、表示データをもとに、当該領域（Ｈ）のアドレス電極群に印加されるアドレスパルスのスイッチング負荷を算出し、当該領域（Ｈ）の負荷が閾値以上である場合に当該領域（Ｈ）に対応するアドレス電力回収回路ブロックの動作をＯＮし、前記閾値未満である場合に当該動作をＯＦＦすること、を特徴とするプラズマディスプレイ装置。
【請求項９】
第１方向に延伸する複数の維持電極及び走査電極と、前記第１方向と交差する第２方向に延伸する複数のアドレス電極とを有するプラズマディスプレイパネルの駆動方法であって、
前記プラズマディスプレイパネルの表示領域を、所定数の前記アドレス電極を含む複数の領域に前記第１方向で分割し、
前記複数の領域の各領域毎に設けられた前記アドレス電極の電力回収回路の動作を、サブフィールド毎の前記各領域毎のアドレスパルスのスイッチング負荷に応じて制御すること、を特徴とするプラズマディスプレイパネルの駆動方法。
【発明の詳細な説明】
【技術分野】
【０００１】
本発明は、プラズマディスプレイパネル（ＰＤＰ）を備える表示装置（プラズマディスプレイ装置：ＰＤＰ装置）に関し、特に、アドレス駆動及び電力制御に関する。
【背景技術】
【０００２】
アドレス電極を含むＰＤＰに対しサブフィールド法及びアドレス表示分離（ＡＤＳ）方式を用いて映像表示するＰＤＰ装置において、アドレス電極駆動時の消費電力（アドレス電力）を制御するために、アドレス電力回収回路を用いている。【０００３】
特開２００５−７８０９７号公報（特許文献１）には、ＰＤＰのアドレス電力制御方法について記載されている。特許文献１では、サブフィールド単位でアドレス電力回収回路の動作を制御することが記載されている。【０００４】
特開２００５−４９８２３号公報（特許文献２）には、消費電力を低減するアドレスドライバ（データドライバ）の例が記載されている。
【特許文献１】特開２００５−７８０９７号公報
【特許文献２】特開２００５−４９８２３号公報
【発明の開示】
【発明が解決しようとする課題】
【０００５】
アドレス電力は、ＰＤＰ（パネル）の表示領域及びフィールドに対する表示映像（表示データ）の内容に応じて、時間的にも空間的にも変化する。【０００６】
特許文献１の技術では、パネルに対してアドレス電力回収回路が１つであり、パネル表示領域全体で一律に、アドレス電力回収回路の動作の制御を行う。当該制御の単位は、サブフィールド毎のパネル表示領域全体である。そのため、パネル表示領域全体における一部領域毎の負荷（アドレスパルススイッチング負荷）の大小・ばらつき等は、当該制御で考慮・反映されない。従って、表示映像（表示データ）の内容によっては、アドレス電力低減の適切な効果が得られない場合がある。即ち、サブフィールド及びパネル表示領域全体の中で、負荷が大きい領域と小さい領域とが混在・偏在している場合である。この場合に、例えばパネル表示領域全体ではアドレス電力削減のためにアドレス電力回収回路動作をＯＮした方がよいと判定されたとしても、そのうちの一部領域では当該動作をＯＦＦした方がよい、という場合が存在する。この場合、この一部領域に対しては、当該動作がＯＦＦされないから、適切な効果が得られない。【０００７】
本発明は以上のような問題に鑑みてなされたものであり、その目的は、ＰＤＰ装置において、表示映像（表示データ）の内容に応じて、従来よりもアドレス電力制御を効率的に行ってアドレス電力を削減できる技術を提供することにある。
【課題を解決するための手段】
【０００８】
本願において開示される発明のうち、代表的なものの概要を簡単に説明すれば、次のとおりである。前記目的を達成するために、本発明は、例えば三種類の電極（維持電極（Ｘで表す）、走査電極（Ｙで表す）、及びアドレス電極（Ａで表す））が形成されるＰＤＰ（パネル）の表示領域にサブフィールド法及びＡＤＳ方式を用いて映像を表示するプラズマディスプレイ（ＰＤＰ）駆動方法及びＰＤＰ装置であって、以下に示すような構成を備えることを特徴とする。【０００９】
本方法及び装置では、パネルのアドレス電極群に接続されアドレス駆動波形（アドレスパルス群）を印加するアドレス駆動回路と、アドレス電極駆動時の消費電力（アドレス電力）を制御するために、パネルのアドレス電極群に接続され電力を回収するアドレス電力回収回路と、を用いる。アドレス電力回収回路は、コイルのインダクタンスとパネル（表示セル）の容量（キャパシタンス）とによるＬＣ共振を制御するためのスイッチを含んで成る。【００１０】
（１）本方法及び装置では、アドレス電力回収回路動作（ＯＮ／ＯＦＦ）の制御の単位として、サブフィールド毎に加え、パネルの表示領域（Ｒとする）及び全アドレス電極群を、第１方向（水平方向）で複数に分割した領域（Ｈ：水平方向分割表示領域、表示列群領域）を用いる。そして、アドレス電力回収回路として、第１方向の領域（Ｈ）毎に対応付けて設けられる複数のアドレス電力回収回路（アドレス電力回収回路ブロック：Ｂとする）を備える。【００１１】
本方法及び装置では、サブフィールド毎、かつ、各アドレス電力回収回路（Ｂ）が担当する第１方向の領域（Ｈ）毎に、当該領域（Ｈ）のアドレス電極群に対しアドレス駆動回路により印加されるアドレスパルス（アドレス駆動波形）のスイッチング負荷（Ｑとする）を判定する。そして、本方法及び装置では、当該負荷（Ｑ）の大小（例えば閾値比較判定）に応じて、当該アドレス電力回収動作をＯＮ／ＯＦＦ（切り替え制御）する。【００１２】
（２）また、他の方法及び装置では、制御の単位として、パネルの表示領域（Ｒ）及びその全アドレス電極群を、第２方向（垂直方向）で複数に分割した領域（Ｖ：垂直方向分割表示領域、表示ライン群領域）を用いる。本方法及び装置では、サブフィールド毎、かつ、第２方向の領域（Ｖ）毎に、当該領域（Ｖ）に対する負荷（Ｑ）を上記（１）同様に判定し、当該負荷（Ｑ）の大小に応じて、当該アドレス電力回収動作をＯＮ／ＯＦＦする。【００１３】
（３）また、他の方法及び装置では、制御の単位として、前記第１方向の領域（Ｈ）かつ第２方向の領域（Ｖ）、即ちそれらによる分割の領域（Ｈ−Ｖ）、を用いる。本方法及び装置では、サブフィールド毎、かつ、上記分割の領域（Ｈ−Ｖ）毎に、当該領域（Ｈ−Ｖ）に対する負荷（Ｑ）を同様に判定し、当該負荷（Ｑ）の大小に応じて、当該アドレス電力回収動作をＯＮ／ＯＦＦする。【００１４】
上記構成により、パネル表示領域及びフィールドに対する表示映像（表示データ）の内容に応じて変化するアドレス電力に対応した効率的なアドレス電力回収制御が実現される。
【発明の効果】
【００１５】
本願において開示される発明のうち、代表的なものによって得られる効果を簡単に説明すれば以下のとおりである。本発明によれば、ＰＤＰ装置において、表示映像（表示データ）の内容に応じて、従来よりもアドレス電力制御を効率的に行ってアドレス電力を削減できる。
【図面の簡単な説明】
【００１６】
【図１】本発明の実施の形態１におけるＰＤＰ装置の全体の構成を示す図である。
【図２】本発明の実施の形態１のＰＤＰ装置における、制御回路の構成例を示す図である。
【図３】本発明の実施の形態１のＰＤＰ装置における、ＰＤＰの構造例を示す図である。
【図４】本発明の実施の形態１のＰＤＰ装置における、フィールド構成を示す図である。
【図５】（ａ），（ｂ）は、本発明の実施の形態１のＰＤＰ装置における、制御内容として、パネル表示領域への表示パターン例における、アドレス駆動回路及びアドレス電力回収回路の動作などを示す図であり、（ａ）は、駆動タイミングがＳＦ１時、（ｂ）は、駆動タイミングがＳＦＮ時を示す。
【図６】本発明の実施の形態１のＰＤＰ装置における、アドレスドライバ及びアドレス電力回収回路の回路構成例を示す図である。
【図７】（ａ），（ｂ）は、本発明の実施の形態１のＰＤＰ装置における、制御の動作タイミングを示す図であり、（ａ）は、負荷が大きい場合に回収回路動作をＯＮする場合、（ｂ）は、負荷が小さい場合に回収回路動作をＯＦＦする場合を示す。
【図８】（ａ），（ｂ）は、本発明の実施の形態２のＰＤＰ装置における、パネル表示領域への表示パターン例における、アドレス駆動回路及びアドレス電力回収回路の動作などを示す図であり、（ａ）は、駆動タイミングがＳＦ１時、（ｂ）は、駆動タイミングがＳＦＮ時を示す。
【図９】（ａ），（ｂ）は、従来技術のＰＤＰ装置における、パネル表示領域への表示パターン例における、アドレス駆動回路及びアドレス電力回収回路の動作などを示す図であり、（ａ）は、駆動タイミングがＳＦ１時、（ｂ）は、駆動タイミングがＳＦＮ時を示す。
【発明を実施するための最良の形態】
【００１７】
以下、本発明の実施の形態を図面に基づいて詳細に説明する。なお、実施の形態を説明するための全図において、同一部には原則として同一符号を付し、その繰り返しの説明は省略する。以下、サブフィールドをＳＦと略称する。【００１８】
＜従来技術＞
図９を用いて、本発明の実施の形態に対する従来技術（特許文献１記載の技術に対応する）について簡単に説明する。図９（ａ），（ｂ）において、従来技術のＰＤＰ装置における、パネル表示領域（Ｒ）への表示パターン例における、アドレス駆動回路の動作の特徴及びアドレス電力回収回路の動作などを示している。フィールドの複数（Ｎ個）のＳＦ（ＳＦ１〜ＳＦＮ）の駆動において、図９（ａ）は、駆動タイミングがＳＦ１の時の表示パターン例、図９（ｂ）は、駆動タイミングがＳＦＮの時の表示パターン例である。【００１９】
表示領域（Ｒ）は、垂直方向（表示列、アドレス電極の延伸方向）の領域をＶで示し、水平方向（表示ライン、表示電極対の延伸方向）の領域をＨで示す。表示領域（Ｒ）は、Ｖでは、複数（ｊ本）の表示電極（維持電極（Ｘ）、走査電極（Ｙ））による複数（ｊ個）の表示ライン（Ｌ１〜Ｌｊ）を有し、Ｈでは、複数（ｋ本）のアドレス電極（Ａ１〜Ａｋ）による複数（ｋ個）の表示列（Ｍ１〜Ｍｋ）を有し、それらの交差により表示セル行列（Ｃ１，１〜Ｃｊ，ｋ）が構成されている。パネルのアドレス電極群（Ａ１〜Ａｋ）に対し、アドレス駆動回路は、複数（ｎ）のアドレスドライバＩＣ（ＡＤ１〜ＡＤｎ）に分けて構成されている。水平方向の領域（Ｈ）は、複数（ｎ）のアドレスドライバＩＣ（ＡＤ１〜ＡＤｎ）に対応して、複数（ｎ）の領域（Ｈ１〜Ｈｎ）に分けて示している。【００２０】
本従来技術では、パネル表示領域全体（Ｒ）及びＳＦを単位として、表示データ変化量（本実施の形態でいうアドレスパルススイッチング負荷（Ｑ））を判定しており、これに基づき、アドレス電力回収回路の動作（ＬＣ共振スイッチ制御）のＯＮ／ＯＦＦを決定している。この動作のＯＮ／ＯＦＦにより、表示領域全体（Ｒ）でのアドレス電力回収により、アドレス電力削減がなされる。パネルに対してアドレス電力回収回路が１つであり、パネル表示領域全体（Ｒ）で一律に、アドレス電力回収回路の動作の制御が行われる。そのため、パネル表示領域全体（Ｒ）における一部領域毎の負荷の大小・ばらつき等は、当該制御で考慮・反映されない。従って、表示映像（表示データ）の内容によっては、例えば、ＳＦ及びパネル表示領域全体（Ｒ）の中で、負荷が大きい領域と小さい領域とが混在・偏在している場合、アドレス電力低減の適切な効果が得られない場合がある。【００２１】
図９（ａ）において、ＳＦ１時、水平方向分割表示領域Ｈ１では、対応する第１のアドレスドライバＩＣ（ＡＤ１）のアドレス期間中の動作として、対応する複数（ｍ本、ｍ＝ｋ／ｎ）のアドレス電極（Ａ１〜Ａｍ）へのアドレス駆動波形（アドレスパルス群）が、毎回、オン・オフの繰り返しである。即ち当該領域Ｈ１の表示パターンとしては縦横セルで交互に点灯・非点灯である。ここで、オンは、アドレスパルスのオンによるセル点灯選択（丸印）、オフ（無印）は、アドレスパルスのオフによるセル非点灯選択のことである。また、その隣の領域Ｈ２では、第２のアドレスドライバＩＣ（ＡＤ２）の動作として、アドレス駆動波形が、常時オンである。即ち当該領域Ｈ２の表示パターンとしては縦横セルで全点灯である。また、最後の領域Ｈｎでは、第ｎのアドレスドライバＩＣ（ＡＤｎ）の動作として、アドレス駆動波形が、常時オフである。即ち当該領域Ｈｎの表示パターンとしては縦横セルで全非点灯である。【００２２】
また、図９（ｂ）において、ＳＦＮ時、Ｈ１では、ＡＤ１のアドレス期間中の動作として、アドレス駆動波形が、常時オフである。Ｈ２では、ＡＤ１の動作として、アドレス駆動波形が、オン・オフ繰り返しである。Ｈｎでは、ＡＤｎの動作として、アドレス駆動波形が、常時オンである。いずれの領域（Ｈ１，Ｈ２，Ｈｎ）も動作が変化している。【００２３】
図９（ａ），（ｂ）において、上記各領域（Ｈ１〜Ｈｎ）における負荷（Ｑ）としては、アドレスドライバＩＣの動作がオン・オフ繰り返しではＱが大きくなり、動作が常時オンまたは常時オフではＱが小さくなる。そして、上記各領域（Ｈ１〜Ｈｎ）に対し、負荷（Ｑ）の大小に係わらずに、単一のアドレス電力回収回路の動作として、ＯＮ／ＯＦＦが決定される。即ち、ＳＦ毎の表示領域全体（Ｒ）のうち、負荷が大きい部分が多い場合には、表示領域全体（Ｒ）での負荷が大きいと判断され、アドレス電力回収回路動作ＯＮと決定され、逆に、負荷が小さい部分が多い場合には、表示領域全体（Ｒ）での負荷が小さいと判断され、アドレス電力回収回路動作ＯＦＦと決定される。【００２４】
よって、例えば、表示領域全体（Ｒ）のうち部分的な領域（例えば図９（ａ）のＨ１）ではアドレス電力回収回路動作ＯＮが望ましくとも、他の領域（例えば図９（ａ）のＨ２，Ｈｎ）を合わせて表示領域全体（Ｒ）ではアドレス電力回収回路動作ＯＦＦと決定されるので、当該部分的な領域では、アドレス電力低減の望ましい効果が得られない。【００２５】
（実施の形態１）
以上を踏まえ、図１〜図７を用いて、本発明の実施の形態１のＰＤＰ装置及びＰＤＰ駆動方法を説明する。実施の形態１では、パネル表示領域（Ｒ）に対するアドレス電力回収回路４０として、水平方向の複数（ｎ）の分割表示領域（Ｈ）に対応した複数のブロックを設ける。それらのアドレス電力回収回路（Ｂ）４０−１〜４０−ｎがそれぞれ担当する領域（Ｈ）毎に、アドレスパルススイッチング負荷（Ｑ）を判定し、それに基づき、各アドレス電力回収回路（Ｂ）の動作のＯＮ／ＯＦＦが個別に決定される。【００２６】
＜ＰＤＰ装置＞
図１において、実施の形態１のＰＤＰ装置の全体の構成を示している。特徴としては、アドレスドライバＩＣ（３０−１〜３０−ｎ）毎に、アドレス電力回収回路（４０−１〜４０〜ｎ）を１：１で対応付けて設けた構成である。【００２７】
本ＰＤＰ装置は、ＰＤＰ１０と、制御回路１００と、制御回路１００により制御される駆動回路（ドライバ）として、Ｘサステインドライバ２１、Ｙサステインドライバ２２、Ｙスキャンドライバ２３、及びアドレスドライバ３０と、アドレス電力回収回路４０と、を有する。【００２８】
ＰＤＰ（パネル）１０は、第１方向に延伸するように、ｊ本の維持電極（Ｘ）１１（Ｘ１〜Ｘｊ）及びｊ本の走査電極（Ｙ）１２（Ｙ１〜Ｙｊ）が交互に形成され、第２方向に延伸するように、ｋ本のアドレス電極（Ａ１〜Ａｋ）が形成されている。【００２９】
Ｘサステインドライバ（維持駆動回路）２１は、制御回路１００からの駆動信号（Ｄ３）に基づき、維持電極（Ｘ）１１群を維持駆動する。Ｙサステインドライバ（維持駆動回路）２２は、制御回路１００からの駆動信号（Ｄ３）に基づき、走査電極（Ｙ）群を維持駆動する。Ｙスキャンドライバ（走査駆動回路）２３は、制御回路１００からの駆動信号（Ｄ３）に基づき、走査電極（Ｙ）群を走査駆動する。アドレスドライバ３０は、制御回路１００からの表示データ（Ｄ１）に基づき、アドレス電極（Ａ）１３群をアドレス駆動する。【００３０】
アドレスドライバ３０は、複数（ｎ）のアドレスドライバＩＣ（ＡＤ）３０−１〜３０−ｎに分けて構成されている。例えばｎ＝１２である。各アドレスドライバＩＣ（ＡＤｉ）３０−ｉは、ＰＤＰ１０の表示領域（Ｒ）におけるｍ本のアドレス電極（Ａ）１３及び対応する水平方向分割表示領域（Ｈｉ）を担当する。例えば、第１のアドレスドライバＩＣ（ＡＤ１）３０−１では、第１の領域Ｈ１に対応するアドレス電極群及びその出力（Ａ１＿１〜Ａ１＿ｍ）を担当する。【００３１】
アドレス電力回収回路４０は、複数（ｎ）のアドレス電力回収回路（Ｂ）４０−１〜４０−ｎに分けて構成されている。例えばｎ＝１２である。各アドレス電力回収回路（Ｂｉ）４０−ｉは、ＰＤＰ１０の表示領域（Ｒ）におけるｍ本のアドレス電極（Ａ）１３及び対応する水平方向分割表示領域（Ｈｉ）を担当する。例えば、第１のアドレス電力回収回路（Ｂ１）４０−１では、第１の領域Ｈ１に対応するアドレス電極群及びその出力（Ａ１＿１〜Ａ１＿ｍ）を担当する。アドレス電力回収回路（Ｂ）は、パネル容量に対する充放電に伴う電力損失を補うものであり、ＬＣ共振動作により、アドレス電極群に係わる無効電力を回収・利用する。【００３２】
アドレス電力回収回路（Ｂ１〜Ｂｎ）４０−１〜４０−ｎは、アドレスドライバＩＣ（ＡＤ１〜ＡＤｎ）３０−１〜３０−ｎに接続される。本例では、複数のアドレスドライバＩＣ（ＡＤ１〜ＡＤｎ）３０−１〜３０−ｎと複数のアドレス電力回収回路（Ｂ１〜Ｂｎ）４０−１〜４０−ｎとが１：１で対応付けられている。【００３３】
各アドレス電力回収回路（Ｂ１〜Ｂｎ）４０−１〜４０−ｎは、制御回路１００からの動作制御信号に基づき、当該回路の動作（ＯＮ／ＯＦＦ切り替え）が個別に制御される。【００３４】
なお、アドレス電力回収回路４０（Ｂ１〜Ｂｎ）とアドレスドライバ３０（ＡＤ１〜ＡＤｎ）は、１：１での対応付けに限られない。例えば、１２個のアドレスドライバ（ＡＤ１〜ＡＤ１２）に対して６つのアドレス電力回収回路（Ｂ１〜Ｂ６）が接続される構成などとしても構わない。【００３５】
＜制御回路＞
図２において、制御回路１００の構成例を示している。制御回路１００は、Ａ／Ｄ変換回路１０１、中間調生成回路１０２、ＳＦ変換回路１０３、アドレス電力回収作動判定回路１０４、アドレス電力回収タイミング制御回路１０５、駆動信号生成回路１０６、等を有する。【００３６】
Ａ／Ｄ変換回路１０１、入力信号（ＶＡ）をＡ／Ｄ変換等し、ディジタルの映像信号（ＶＤ）及びタイミング信号（Ｔ）等を出力する。中間調生成回路１０２は、映像信号（ＶＤ）に対し、誤差拡散処理、ディザ処理等により、中間調を含む映像信号を生成し、ＳＦ変換回路１０３へ出力する。ＳＦ変換回路１０３は、ＳＦ変換処理により、ＰＤＰ１０を表示駆動するための表示データ（フィールド及びＳＦデータ）（Ｄ１）を作成及び出力する。表示データ（Ｄ１）は、フィールド（表示領域（Ｒ））の各ＳＦのセル群のオン／オフのデータを含む。駆動信号生成回路１０６は、タイミング信号（Ｔ）をもとに、Ｘ，Ｙのドライバ（２１〜２３）等を駆動制御するための駆動信号（Ｄ３）を生成して出力する。表示データ（Ｄ１）または駆動信号（Ｄ３）は、詳しくは、アドレスドライバ３０（ＡＤ１〜ＡＤｎ）内のスイッチの切り替え制御信号を含む。【００３７】
アドレス電力回収作動判定回路１０４は、ＳＦ変換回路１０３からの表示データ（Ｄ１）をもとに、アドレス電力回収回路４０（Ｂ１〜Ｂｎ）の作動（どのように動作させるべきか）を判定する。アドレス電力回収作動判定回路１０４は、表示データ（Ｄ１）の内容から、アドレスドライバ３０（ＡＤ１〜ＡＤｎ）の動作による、ＳＦ毎及び領域Ｈ毎のアドレスパルススイッチング負荷（Ｑ）を判定し、その結果（ｄ１）を出力する。また、アドレス電力回収作動判定回路１０４での負荷（Ｑ）の判定に関しては、所定の閾値（Ｔｑ）が設定される。【００３８】
アドレス電力回収タイミング制御回路１０５は、アドレス電力回収作動判定回路１０４からの情報（ｄ１）をもとに、アドレス電力回収回路４０（Ｂ１〜Ｂｎ）のＯＮ／ＯＦＦの動作及びタイミングを制御する信号（Ｄ２）を出力する。動作制御信号（Ｄ３）は、詳しくは、アドレス電力回収回路４０（Ｂ１〜Ｂｎ）内のスイッチの切り替え制御信号を含む。【００３９】
＜ＰＤＰ＞
図３において、ＰＤＰ１０の基本的な構造例を示している。ＰＤＰ１０における画素（各色のセル（Ｃｒ，Ｃｇ，Ｃｂ）のセット）に対応した一部分を示している。ＰＤＰ１０は、前面ガラス基板２１１による構造体（前面部２０１）及び背面ガラス基板２２１による構造体（背面部２０２）が対向して組み合わされ、その空間に放電ガスが封入されることにより構成される。【００４０】
前面部２０１において、前面ガラス基板２１１上には、表示電極である、複数の維持電極（Ｘ）１１及び走査電極（Ｙ）１２が、第１方向（水平方向）に平行に伸びて第２方向（垂直方向）に交互に形成されている。これらの表示電極（１１，１２）群は、誘電体層２１２及び保護層２１３により覆われている。背面部２０２において、背面ガラス基板２２１上には、第２方向に、複数のアドレス電極（Ａ）１３が平行に伸びて形成されており、更に誘電体層２２２に覆われている。誘電体層２２２上、アドレス電極３３の両側には、例えば第２方向に伸びる隔壁２２３が形成されている。更に、誘電体層２２２上、隔壁２３間には、紫外線により励起されて赤（Ｒ），緑（Ｇ），青（Ｂ）の各色の可視光を発生する各色の蛍光体２２４が列毎に形成されている。表示電極（１１，１２）の対は、表示ライン（Ｌ）に対応付けられる。アドレス電極１３、及び隔壁２２３による区画は、表示列（Ｍ）に対応付けられる。各電極（１１，１２，１３）の交差、即ち表示ライン（Ｌ）と表示列（Ｍ）の交差の領域が、表示セル（Ｃ）に対応付けられる。【００４１】
＜フィールド＞
図４において、ＰＤ１０の駆動制御における基本的なフィールド構成（駆動シーケンス）を示している。フィールド（フィールド期間）（Ｆ）は、ＰＤＰ１０の表示領域（Ｒ）及び所定期間（例えば１／６０秒）、並びに映像の画像フレームなどに対応付けられる単位である。フィールド（Ｆ）は、階調表現のために時間的に分割された複数（Ｎ）のＳＦ（ＳＦ１〜ＳＦＮ）により構成される。各ＳＦは、リセット期間（Ｔｒ）７１、アドレス期間（Ｔａ）７２、及びサステイン期間（Ｔｓ）７３等から構成される。各ＳＦは、サステイン期間（Ｔｓ）７３での維持放電回数などにより、輝度の重み付けが与えられている。フィールド（Ｆ）の各セルにおける、各ＳＦのオン（点灯）／オフ（非点灯）の選択的組み合わせのステップによって、階調が表現される。【００４２】
リセット期間（Ｔｒ）７１では、次のアドレス期間（Ｔａ）７２に備える動作が行われる。アドレス期間（Ｔａ）７２では、ＳＦのセル群におけるオン（点灯）／オフ（非点灯）を選択する動作が行われる。即ち、表示データ及び選択セルに応じて、駆動対象の表示ライン（Ｌ）群に対し、順次（例えばＬ１からＬｊ）、走査電極（Ｙ）１２への走査パルスかつアドレス電極（Ａ）１３へのアドレスパルス７４を、タイミング合わせて印加することにより、選択セルでアドレス放電を発生させる。次のサステイン期間（Ｔｓ）７３では、表示電極（１１，１２）群に対するサステインパルスの印加により、直前のアドレス期間（Ｔａ）７２での選択セルで維持放電を発生させて点灯する。【００４３】
下側に、アドレスドライバ３０によりアドレス期間（Ｔａ）７２にアドレス電極１３群へ印加されるアドレス駆動波形（アドレスパルス７４群）を示している。アドレス電極１３毎に、セル（Ｃ）に対応して（１，２，３，……）、アドレスパルス７４がオン／オフされる。アドレスパルス７４は、オフ状態でグランド（ＧＮＤ）電位、オン状態でアドレス電圧（Ｖａ）電位である。更に、アドレス駆動波形の例１として、アドレスパルス７４がオン・オフの繰り返しの場合を示している。この場合は、アドレスパルス７４のスイッチング負荷（Ｑ）が大きくなる。【００４４】
アドレスパルススイッチング負荷（Ｑ）は、表示データに応じたアドレス電極１３群へのアドレスパルス７４群の印加による、セル選択に対応するオン／オフのスイッチングの負荷であり、隣接表示セル（あるいは隣接表示ラインや隣接表示列）で、上記オン・オフ状態が変わるほどＱが大きくなり、変わらないほどＱが小さくなる。当該負荷Ｑは、回路充放電の負荷（相対的に小さい）と、パネル充放電の負荷（相対的に大きい）と、を含む。【００４５】
＜制御＞
次に、図５（ａ），（ｂ）において、実施の形態１のＰＤＰ装置及びＰＤＰ駆動方法における制御内容として、パネル表示領域（Ｒ）への表示パターン例における、アドレス駆動回路３０の動作の特徴及びアドレス電力回収回路４０の動作などを示している。フィールドの複数（Ｎ）のＳＦ（ＳＦ１〜ＳＦＮ）の駆動において、図５（ａ）は、駆動タイミングがＳＦ１の時の表示パターン例、図５（ｂ）は、駆動タイミングがＳＦＮの時の表示パターン例である。【００４６】
表示領域（Ｒ）は、垂直方向（表示列（Ｍ）、アドレス電極（Ａ）１３方向）の領域をＶで示し、水平方向（表示ライン（Ｌ）、表示電極対（１１，１２）方向）の領域をＨで示す。表示領域（Ｒ）は、Ｖでは、複数（ｊ本）の表示電極対（１１，１２）による複数（ｊ個）の表示ライン（Ｌ１〜Ｌｊ）を有し、Ｈでは、複数（ｋ本）のアドレス電極（Ａ１〜Ａｋ）による複数（ｋ個）の表示列（Ｍ１〜Ｍｋ）を有し、それらの交差により表示セル行列（Ｃ１，１〜Ｃｊ，ｋ）が構成されている。パネルの表示領域（Ｒ）及びアドレス電極１３群（Ａ１〜Ａｋ）は、複数（ｎ）のアドレスドライバＩＣ（ＡＤ１〜ＡＤｎ）３０−１〜３０−ｎに対応して、複数（ｎ）の水平方向の分割表示領域（Ｈ１〜Ｈｎ）として管理されている。【００４７】
実施の形態１では、制御内容として、パネル表示領域全体（Ｒ）のうちの水平方向の分割表示領域（Ｈ１〜Ｈｎ）、及びＳＦを単位として、アドレスパルススイッチング負荷（Ｑ）を判定し、これに基づき、各領域（Ｈ）に対応付けられるアドレス電力回収回路（Ｂ）の動作（ＬＣ共振スイッチ制御）のＯＮ／ＯＦＦを決定する。この動作のＯＮ／ＯＦＦにより、分割表示領域（Ｈ）でのアドレス電力回収により、アドレス電力削減がなされる。【００４８】
分割表示領域（Ｈ１〜Ｈｎ）毎に、アドレス電力回収回路（Ｂ）４０−１〜４０−ｎの動作の制御が行われるため、表示領域全体（Ｒ）における領域（Ｈ）毎の負荷（Ｑ）の大小・ばらつき等が、当該制御で考慮・反映される。従って、表示映像（表示データ）の内容によって、例えば、ＳＦ及び表示領域全体（Ｒ）の中で負荷（Ｑ）が大きい領域と小さい領域とが混在・偏在している場合でも、アドレス電力低減の適切な効果が得られる。【００４９】
図５（ａ）において、ＳＦ１時、分割表示領域Ｈ１では、対応する第１のアドレスドライバＩＣ（ＡＤ１）３０−１のアドレス期間（Ｔａ）７２中の動作として、対応する複数（ｍ本、ｍ＝ｋ／ｎ）のアドレス電極（Ａ１〜Ａｍ）へのアドレス駆動波形（アドレスパルス７４群）が、オン・オフ繰り返しである。ここで、オンは、アドレスパルス７４のオンによるセル点灯選択（丸印）、オフ（無印）は、アドレスパルス７４のオフによるセル非点灯選択のことである。また、その隣の領域Ｈ２では、第２のアドレスドライバＩＣ（ＡＤ２）３０−２の動作として、アドレス駆動波形が、常時オンである。また、最後の領域Ｈｎでは、第ｎのアドレスドライバＩＣ（ＡＤｎ）３０−ｎの動作として、アドレス駆動波形が、常時オフである。【００５０】
また、図５（ｂ）において、ＳＦＮ時、Ｈ１では、ＡＤ１のアドレス期間（Ｔａ）７２中の動作として、アドレス駆動波形が、常時オフである。また、Ｈ２では、ＡＤ１の動作として、アドレス駆動波形が、オン・オフ繰り返しである。また、Ｈｎでは、ＡＤｎの動作として、アドレス駆動波形が、常時オンである。いずれの領域（Ｈ１，Ｈ２，Ｈｎ）も表示データ内容及び動作が変化している。【００５１】
図５（ａ），（ｂ）において、上記各領域（Ｈ１〜Ｈｎ）における負荷（Ｑ）としては、アドレスドライバＩＣ（ＡＤ）の動作がオン・オフ繰り返しではＱが大きくなり、動作が常時オンまたは常時オフではＱが小さくなる。そして、上記各領域（Ｈ１〜Ｈｎ）に対し、負荷（Ｑ）の大小に応じて、複数（ｎ）のアドレス電力回収回路（Ｂ）４０−１〜４０−ｎの動作のそれぞれのＯＮ／ＯＦＦが決定される。即ち、ＳＦ毎の表示領域全体（Ｒ）のうち、負荷（Ｑ）が大きい領域（Ｈ）では、アドレス電力回収回路（Ｂ）動作ＯＮが選択され、逆に、負荷（Ｑ）が小さい領域（Ｈ）では、アドレス電力回収回路（Ｂ）動作ＯＦＦが選択される。【００５２】
よって、部分的な領域、例えば図５（ａ）のＳＦ１時における、Ｈ１では、適切にアドレス電力回収回路動作ＯＮが選択され、他の領域、Ｈ２，Ｈｎでは、適切にアドレス電力回収回路動作ＯＦＦが選択されるので、全体としてアドレス電力低減の望ましい効果が得られる。【００５３】
＜アドレスドライバ及びアドレス電力回収回路＞
図６において、アドレスドライバ３０及びアドレス電力回収回路部４０の回路構成例を示している。アドレスドライバ３０における、第１のアドレスドライバＩＣ（ＡＤ１）３０−１〜第ｎのアドレスドライバＩＣ（ＡＤｎ）３０−ｎは、同様構成である。また、アドレス電力回収回路４０における、第１のアドレス電力回収回路（Ｂ１）４０−１〜第ｎのアドレス電力回収回路（Ｂｎ）４０−ｎは、同様構成である。ＡＤ１，Ｂ１、及び対応するＰＤＰ１０の表示セル（パネル容量：Ｃｐ１＿１〜Ｃｐ１＿ｍ）を例に説明する。【００５４】
第１のアドレス電力回収回路（Ｂ１）４０−１の出力（Ａout＿１）は、第１のアドレスドライバＩＣ（ＡＤ１）３０−１の入力になる。第１のアドレスドライバＩＣ（ＡＤ１）３０−１の各出力（Ａ１＿１〜Ａ１＿ｍ）は、対応するＰＤＰ１０の各表示セル（パネル容量：Ｃｐ１＿１〜Ｃｐ１＿ｍ）及びアドレス電極１３（Ａ１〜Ａｍ）に対する出力波形である。パネル容量（Ｃｐ）としては、例えば、１番目のアドレス電極１１（Ａ１）に対する出力（Ａ１＿１）のライン上に、Ｃｐ１＿１が存在する。【００５５】
第１のアドレス電力回収回路（Ｂ１）４０−１において、出力Ａout＿１のラインに対し、電力回収用のコイル（インダクタンス：Ｌ１）４２０が接続されている。コイル（Ｌ１）４２０とパネル容量（Ｃｐ）とで、ＬＣ共振が発生する。コイル４２０のラインの他方端（左側）に対し、ＬＣ共振制御のための２つのスイッチ（ＳＷ１１，ＳＷ１３）を含むラインが並列に接続されている。それらスイッチ（ＳＷ１１，ＳＷ１３）のラインは、グランド（ＧＮＤ）に接続される容量（Ｃpump）４３０のラインに接続されている。ＬＣ共振制御に関する上側のスイッチ（ＳＷ１１）４１１は、ＬＣ共振アップ（パネル容量への充電（電荷供給））の制御用、下側のスイッチ（ＳＷ１３）４１３は、ＬＣ共振ダウン（パネル容量からの放電（電荷回収））の制御用である。それら各スイッチ（ＳＷ１１，ＳＷ１３）には、整流のダイオードが直列に接続されている。容量（Ｃpump）４３０に対して、アドレス電力の回収が行われる。【００５６】
また、コイル４２０の一方端（右側）に対し、アドレス電圧（Ｖａ）電源及びスイッチ（ＳＷ１２）４１２を含むラインが接続されている。スイッチ（ＳＷ１２）４１２は、Ｖａクランプ制御用である。また、一構成例として、そのコイル４２０の一方端（右側）に対して、グランド（ＧＮＤ）のラインは接続されていない。また、コイル４２０の他方端（左側）に対し、アドレス電圧（Ｖａ）電源及びダイオード（クランプダイオード）のラインと、グランド（ＧＮＤ）及びダイオード（クランプダイオード）のラインと、が接続されている。【００５７】
第１のアドレスドライバＩＣ（ＡＤ１）３０−１において、アドレス電極１３（出力ライン）毎に、アドレスパルス７４のアップ・ダウン制御のための２つ（ペア）のスイッチが接続されている。例えば、１本目のアドレス電極１３（Ａ１）に対する出力（Ａ１＿１）のラインに対し、Ｂ１出力（Ａout＿１）のラインとの間に、アップ制御のためのスイッチ（ＳＷ＿Ａ１ｕ）３１１が接続されており、またその他方、グランド（ＧＮＤ）との間に、ダウン制御のためのスイッチ（ＳＷ＿Ａ１ｄ）３１２が接続されている。上側のスイッチ（ＳＷ＿Ａ１ｕ）３１１のＯＮ（High）により、Ｖａへクランプアップされる（但しＳＷ１２がオンの必要有り）。また、下側のスイッチ（ＳＷ＿Ａ１ｄ）３１２の制御により、グランド電位へ落とされる。【００５８】
各スイッチ（ＳＷ１１，ＳＷ１２，ＳＷ１３，ＳＷ＿Ａ１ｕ／ｄ等）は、それぞれ、ＦＥＴ等のスイッチ素子を含んで構成される。それら各スイッチは、制御信号入力（前記表示データ（Ｄ１）等）によりＯＮ／ＯＦＦ動作が切り替えられる。【００５９】
＜動作タイミング＞
図７において、アドレスドライバ３０及びアドレス電力回収回路４０の動作タイミングの波形を示している。前述の制御内容（条件）として、ＳＦ毎、かつアドレス電力回収回路（Ｂ）の担当の領域Ｈ毎に、負荷（Ｑ）を判定して動作制御する場合である。図７（ａ）は、第１の制御状態として、領域Ｈ（例えばＨ１）の負荷Ｑが、Ｑ≧Ｔｑの場合に、当該回収回路（例えばＢ１）動作をＯＮする場合であり、その際における各波形・タイミングを示している。その各波形として、上から、アドレスドライバＩＣ（例えばＡＤ１）の出力波形、アドレス電力回収回路（Ｂ）の出力（Ａout＿１）、及び、それら各部（ＡＤ１，Ｂ１）の各スイッチの切り替えの波形等を示している。ＡＤ１出力としてＡ１＿２（２番目のアドレス電極１３（Ａ２）への出力）の場合及びそれに対応するスイッチ（ＳＷ＿Ａ２ｕ，ＳＷ＿Ａ２ｄ）の波形を示している。同様に、図７（ｂ）は、第２の制御状態として、領域Ｈ（Ｈ１）の負荷Ｑが、Ｑ＜Ｔｑの場合に、当該回収回路（Ｂ１）動作をＯＦＦする場合であり、その際におけるＡＤ１出力（Ａ１＿２）、Ｂ１出力（Ａout＿１）、及び各部内の各スイッチの切り替えの波形・タイミング等を示している。【００６０】
図７（ｂ）において、動作状態は以下である。Ｂ１内における、ＳＷ１１がＯＦＦ、ＳＷ１２がＯＮ、ＳＷ１３がＯＦＦされ、これにより、Ｂ１出力であるＡout＿１では、アドレス電圧Ｖａになる。また、ＡＤ１内における、ＳＷ＿Ａ２ｕがＯＮ、ＳＷ＿Ａ２ｄがＯＦＦされ、これにより、Ａ１出力であるＡ１＿２では、アドレス電圧Ｖａになる。【００６１】
図７（ａ）において、図４の例１のようなアドレス駆動波形（オン・オフ繰り返し）を出力する場合における動作タイミング詳細は以下である。ｔ１等は時点を表す。ｔ０では、アドレスパルス７４のオフ状態（電位がグランド（ＧＮＤ））である。【００６２】
立ち上がり時、まず、ｔ１で、ＳＷ１１がＯＮされ、ＳＷ１３がＯＦＦされ、また、ＳＷ＿Ａ１ｕがＯＮされ、ＳＷ＿Ａ１ｄがＯＦＦされる。これにより、ＬＣ共振アップ作用により、Ａout＿１及びＡ１＿２では、電位が曲線（傾きが次第に緩やかになる曲線）的に上昇する。次に、ｔ２で、ＳＷ１１がＯＦＦ、ＳＷ１２がＯＮされる。これにより、Ｖａクランプアップ作用により、Ａout＿１及びＡ１＿２では、電位がＶａまで急に上昇（即ちＶａクランプアップ）する。この状態は、アドレスパルス７４のオン状態である。【００６３】
立ち下がり時、ｔ３では、ＳＷ１２がＯＦＦされ、ＳＷ１３がＯＮされる。これにより、ＬＣ共振ダウン作用により、Ａout＿１及びＡ１＿２では、電位が曲線（傾きが次第に緩やかになる曲線）的に下降する。次に、ｔ４では、ＳＷ１１がＯＮされ、ＳＷ１３がＯＦＦされ、ＳＷ＿Ａ１ｕがＯＦＦされ、ＳＷ＿Ａ１ｄがＯＮされる。これにより、特にＳＷ＿Ａ１ｄのＯＮにより、Ａout＿１では、電位が、ＧＮＤに下降せずに、曲線（傾きが次第に緩やかになる曲線）的に上昇する。Ａ１＿２では、電位が急にＧＮＤへ下降する。この状態は、アドレスパルス７４のオフ状態である。なお、ｔ４でクランプダウン制御する形態も可能であるが、その場合は、Ａout＿１がＧＮＤへ下降するので、その分駆動時間がかかることになる。ｔ５では、ＳＷ１１がＯＦＦされ、ＳＷ１２がＯＮされる。これにより、Ａout＿１では、電位がＶａへ急に上昇する。ｔ６では、ＳＷ１２がＯＦＦされ、ＳＷ１３がＯＮされる。これにより、Ａout＿１では、電位が、Ｖａから、曲線（傾きが次第に緩やかになる曲線）的に下降する。以降同様制御である。【００６４】
以上説明したように、実施の形態１によれば、水平方向の分割表示領域（Ｈ）毎に負荷（Ｑ）を判定して回収回路（Ｂ）動作を切り替えるので、表示データ内容に応じて、従来技術（表示領域全体（Ｒ）一律で制御）よりもアドレス電力制御を効率的に行ってアドレス電力を削減できる。【００６５】
（実施の形態２）
次に、図８を用いて、本発明の実施の形態２のＰＤＰ装置及びＰＤＰ駆動方法を説明する。実施の形態２では、実施の形態１の構成（水平方向分割表示領域（Ｈ）毎の負荷（Ｑ）の判定など）に加え、更に、パネル表示領域全体（Ｒ）における垂直方向の表示ライン（Ｌ）群の分割表示領域（Ｖ）毎に、負荷（Ｑ）を判定して、各アドレス電力回収回路（Ｂ）動作のＯＮ／ＯＦＦを決定する。これにより、更に効率的なアドレス電力低減が実現される。【００６６】
図８（ａ），（ｂ）において、実施の形態２における制御内容を、図５同様の形式で示している。実施の形態２における制御内容（条件）において、ＳＦ毎、かつアドレス電力回収回路（Ｂ）の担当の水平方向分割表示領域Ｈ毎、かつ垂直方向分割表示領域Ｖ毎、を単位として、アドレスパルススイッチング負荷（Ｑ）を判定し、これに基づき、各領域（Ｈ−Ｖ）に対応付けられるアドレス電力回収回路（Ｂ）の動作（ＬＣ共振スイッチ制御）のＯＮ／ＯＦＦを決定する。この動作のＯＮ／ＯＦＦにより、分割領域（Ｈ−Ｖ）でのアドレス電力回収により、アドレス電力削減がなされる。【００６７】
パネルの表示領域（Ｒ）及び表示ライン群（Ｌ１〜Ｌｊ）は、複数（本例では２つ）の垂直方向の分割表示領域（Ｖ１，Ｖ２）として管理されている。表示領域全体（Ｒ）は、水平方向かつ垂直方向の区分による所定の矩形の領域単位で管理される（例えばＨ１−Ｖ１で交差する１つの領域）。垂直方向分割表示領域Ｖは、連続する複数の表示ライン（Ｌ）により構成される領域である。本例では、当該領域Ｖとして、表示ライン（Ｌ１〜Ｌｊ）群が、上下の２つの領域（Ｖ１，Ｖ２）に分割されている。領域Ｖ１は、Ｌ１からＬ（ｊ/２）までの領域、領域Ｖ２は、Ｌ（ｊ/２＋１）からＬｊまでの領域である。例えば、第１のアドレスドライバＩＣ（ＡＤ１）３０−１及び第１のアドレス電力回収回路（Ｂ１）４０−１は、Ｈ１−Ｖ１による領域と、Ｈ１−Ｖ２による領域と、の２つの領域を担当する。【００６８】
図８（ａ）において、ＳＦ１時、領域Ｈ１では、対応する第１のアドレスドライバＩＣ（ＡＤ１）３０−１のアドレス期間（Ｔａ）７２中の動作として、対応する複数（ｍ本）のアドレス電極（Ａ１〜Ａｍ）へのアドレス駆動波形（アドレスパルス群）が、Ｖ１ではオン・オフ繰り返しであり、Ｖ２では常時オフである。また、その隣の領域Ｈ２では、第２のアドレスドライバＩＣ（ＡＤ２）３０−２の動作として、アドレス駆動波形が、Ｖ１では常時オンであり、Ｖ２ではオン・オフ繰り返しである。また、最後の領域Ｈｎでは、第ｎのアドレスドライバＩＣ（ＡＤｎ）３０−ｎの動作として、アドレス駆動波形が、Ｖ１では常時オフであり、Ｖ２では常時オンである。【００６９】
また、図８（ｂ）において、ＳＦＮ時、Ｈ１では、ＡＤ１のアドレス期間（Ｔａ）７２中の動作として、アドレス駆動波形が、Ｖ１では常時オフであり、Ｖ２ではオン・オン繰り返しである。また、Ｈ２では、ＡＤ２の動作として、アドレス駆動波形が、Ｖ１ではオン・オフ繰り返しであり、Ｖ２では常時オンである。また、Ｈｎでは、ＡＤｎの動作として、アドレス駆動波形が、Ｖ１では常時オンであり、Ｖ２では常時オフである。いずれの領域（Ｈ１，Ｈ２，Ｈｎ，Ｖ１，Ｖ２の組み合わせの領域）も表示データ内容及び動作が変化している。【００７０】
図８（ａ），（ｂ）において、上記各領域（本例では６つ）における負荷（Ｑ）は図示の通りであり、上記各領域に対し、負荷（Ｑ）の大小に応じて、複数（ｎ）のアドレス電力回収回路（Ｂ）４０−１〜４０−ｎの動作のそれぞれのＯＮ／ＯＦＦが図示通りに決定される。例えば図８（ａ）のＳＦ１時に、Ｈ１−Ｖ１の領域及びＨ２−Ｖ２の領域では動作ＯＮが選択され、他の領域では動作ＯＦＦが選択される。【００７１】
以上説明したように、実施の形態２によれば、垂直方向の分割表示領域（Ｖ）毎に負荷（Ｑ）を判定してアドレス電力回収回路（Ｂ）動作を切り替えるので、更にアドレス電力制御を効率的に行ってアドレス電力を削減できる。上記実施の形態２の構成では、表示領域全体（Ｒ）を水平方向かつ垂直方向で区分した領域（Ｈ−Ｖ）を制御の単位としたが、同様に、表示領域全体（Ｒ）を垂直方向のみで区分した領域（Ｖ）を制御の単位とする構成も可能である。【００７２】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００７３】
本発明は、ＰＤＰ装置などに利用可能である。
【図１】
2009004685.tif 000003
【図２】
2009004685.tif 000004
【図３】
2009004685.tif 000005
【図４】
2009004685.tif 000006
【図５】
2009004685.tif 000007
【図６】
2009004685.tif 000008
【図７】
2009004685.tif 000009
【図８】
2009004685.tif 000010
【図９】
2009004685.tif 000011
【国際調査報告】
2009004685.tif 000012
2009004685.tif 000013
2009004685.tif 000014
2009004685.tif 000015